(57)【要約】【課題】リード線との接触効果が良好であり、且つ反復使用されても変形や弾性疲労のない端子台を提供する。【解決手段】ケース本体１１の開口１１２内に上下動可能に収納されている上、リード線挿入孔１２１が開口１１２に臨んで形成されている端子座１２と、ケース本体１１内において、その一端部１３１がリード線挿入孔１２１内に突入しており、他端部１３２がケース本体１１下面のコンタクトピン挿入孔１１４から挿入されるコンタクトピン１００と接触する導電体１３と、ケース本体１１上面のねじ孔１１３からケース本体１１内に挿入されて端子座１２の上部と螺接していてねじると、端子座１２を上下動させ、端子座１２の下部と導電体１３の一端部１３１とでリード線挿入孔１２１内に挿入されるリード線２００を挟持固定するねじ手段１４と、を備えていることを特徴とする端子台１０。【選択図】図５
2006209974.tif 000002
【特許請求の範囲】
【請求項１】
一側面に開口している上、その上下両面にそれぞれねじ孔とコンタクトピン挿入孔とが形成してあるケース本体と、
前記ケース本体の前記開口内に上下動可能に収納されている上、リード線挿入孔が前記開口に臨んで形成されている端子座と、
前記ケース本体内において、前記端子座に隣り合っている上、その一端部が前記リード線挿入孔内に突入しており、他端部が前記コンタクトピン挿入孔に臨んでいて前記コンタクトピン挿入孔から挿入されるコンタクトピンと接触することができる導電体と、
前記ねじ孔から前記ケース本体内に挿入されて前記端子座の上部と螺接していてねじると、前記端子座を上下動させ、前記端子座の下部と前記導電体の前記一端部とで前記リード線挿入孔内に挿入されるリード線を挟持固定することができるねじ手段とを備えていることを特徴とする端子台。
【請求項２】
一側面に開口している上、その上下両面にそれぞれねじ孔とコンタクトピン挿入孔とが形成してあるケース本体と、
前記ケース本体の前記開口内に上下動可能に収納されている上、リード線挿入孔が前記開口に臨んで形成されている端子座と、
前記ケース本体内において、前記端子座に隣り合っている上、その一端部が前記リード線挿入孔内に突入しており、他端部が前記コンタクトピン挿入孔に臨んでいて前記コンタクトピン挿入孔から挿入されるコンタクトピンと接触することができる導電体と、
前記ねじ孔から前記ケース本体内に挿入されて前記端子座の上部と螺接していてねじると、前記端子座を上下動させ、前記端子座の下部と前記導電体の前記一端部とで前記リード線挿入孔内に挿入されるリード線を挟持固定することができるねじ手段と、
前記ケース本体の前記開口のある側面から前記導電体及び前記端子座を遮蔽するように、前記ケース本体に嵌合している蓋体とを備えていることを特徴とする端子台。
【請求項３】
前記導電体の前記他端部は、それらが該コンタクトピン挿入孔の周壁面に沿って並んでいてコンタクトピンの承接座となる三つの金属ばね片からなっていることを特徴とする請求項１または２に記載の端子台。
【請求項４】
前記導電体の前記他端部は、それらが該コンタクトピン挿入孔の孔内に、互いに対峙するように設けられていてコンタクトピンの承接座となる二つのばね片からなっていることを特徴とする請求項１または２に記載の端子台。
【請求項５】
前記蓋体の前記リード線挿入孔に臨んでいるところに凹溝が形成されており、
前記導電体の前記一端部が前記リード線挿入孔内に突入してから延伸し、前記凹溝内に嵌挿して固定されていることを特徴とする請求項２に記載の端子台。
【請求項６】
前記導電体の前記一端部は、その前記他端部との連接端からループになるように折り曲げられてから前記連接端より下の所で前記リード線挿入孔内を孔の軸線とほぼ平行するように貫通した後、上へ反って前記凹溝に嵌入したことを特徴とする請求項５に記載の端子台。
【発明の詳細な説明】
【技術分野】
【０００１】
本発明は電子部品などに用いられ、信号や電源を伝送する端子台に関する。
【背景技術】
【０００２】
従来の端子台は図１に示すように、ケース本体１１と、端子座１２と、導電体１３と、ねじ手段１４とを備えている。
【０００３】
ケース本体１１は一側面に開口（図中の１１２を参照）している上、その上下両面にそれぞれねじ孔１１３とコンタクトピン挿入孔１１４とが形成してある。端子座１２はケース本体１１の前記開口１１２内に固定されている上、そのリード線挿入孔１２１が開口１１２に臨んで形成されている。また、導電体１３は、ケース本体１１内において、端子座１２に隣り合っている上、その一端部１３１がコンタクトピン挿入孔１１４に臨んでいてコンタクトピン挿入孔１１４から挿入されるコンタクトピン１００と接触することができ、他端部１３２が一端部１３１との連結端から端子座１２の上縁に沿うように開口１１２の方へ延伸してから、戻るようにＣ字状に折り曲げられてその先端１３３が斜めにリード線挿入孔１２１内に突入していて、リード線挿入孔１２１と共に、挿入されるリード線２００の先頭に露出した芯線２０１を弾性的に銜えることができるようになっている。ねじ手段１４は、ねじ孔１１３からケース本体１１内に挿入されて導電体１３の他端部１３２を貫通してから端子座１２をケース本体（１１）内に螺接固定していて、更にねじられて下へ進むと、下動して導電体１３のリード線挿入孔１２１内に斜めに突入している他端部１３２の先端１３３を更に下へ押圧し、リード線挿入孔１２１内にすでに挿入されて銜えられたリード線２００の芯線２０１との連接及び接触をもっとしっかりさせることができる。
【発明の開示】
【発明が解決しようとする課題】
【０００４】
しかしながら、このような端子台１０は、まず、導電体１３のリード線挿入孔１２１内に突入した他端部１３２が斜めになっているので、リード線２００の芯線２０１への押圧及び接触がその先端１３３あたりに限られ、ねじ手段１４の更なる押圧によっても、やはりしっかりとはならない。また、該導電体１３のリード線挿入孔１２１内に斜めに突入した他端部１３２が上からのねじ手段１４に長期押圧されると、変形されて弾性回復力が段々なくなって接触不良になるので、長期に反復使用しかねるという欠点がある。そして、ねじ手段１４に押圧される先端１３３がリード線２００の芯線２０１を突いて芯線２０１を潰すという欠点もある。
【０００５】
また、ケース本体１１に開口１１２が形成してあるので、ケース本体１１内の部材、特に、導電体１３の他端部１３２の折り曲げ部分がいつも開口１１２外に露出しているため、使用者は不意にそれに触れると、感電するおそれがある。
【０００６】
上記に鑑みて、本発明の第１の目的は、反復使用されても変形や弾性疲労のない端子台を提供しようとすることにある。
【０００７】
そして、本発明の第２の目的は、感電を防止することができる端子台を提供しようとすることにある。
【０００８】
そして、本発明の第３の目的は、リード線の芯線への挟持固定及びリード線の芯線との接触をしっかりとさせることができる端子台を提供しようとすることにある。
【課題を解決するための手段】
【０００９】
前記第１ないし第３の目的を達成するために、本発明は、一側面に開口している上、その上下両面にそれぞれねじ孔とコンタクトピン挿入孔とが形成してあるケース本体と、前記ケース本体の前記開口内に上下動可能に収納されている上、リード線挿入孔が前記開口に臨んで形成されている端子座と、前記ケース本体内において、前記端子座に隣り合っている上、その一端部が前記リード線挿入孔内に突入しており、他端部が前記コンタクトピン挿入孔に臨んでいて前記コンタクトピン挿入孔から挿入されるコンタクトピンと接触することができる導電体と、前記ねじ孔から前記ケース本体内に挿入されて前記端子座の上部と螺接していてねじると、前記端子座を上下動させ、前記端子座の下部と前記導電体の前記一端部とで前記リード線挿入孔内に挿入されるリード線を挟持固定することができるねじ手段とを備えていることを特徴とする端子台、特に、前記導電体の前記リード線挿入孔内に突入している前記一端部が、リード線挿入孔の軸線とほぼ平行するように形成されたことを特徴とする端子台を提供する。
【００１０】
そして、前記第２の目的を達成するために、本発明は、一側面に開口している上、その上下両面にそれぞれねじ孔とコンタクトピン挿入孔とが形成してあるケース本体と、前記ケース本体の前記開口内に上下動可能に収納されている上、リード線挿入孔が前記開口に臨んで形成されている端子座と、前記ケース本体内において、前記端子座に隣り合っている上、その一端部が前記リード線挿入孔内に突入しており、他端部が前記コンタクトピン挿入孔に臨んでいて前記コンタクトピン挿入孔から挿入されるコンタクトピンと接触することができる導電体と、前記ねじ孔から前記ケース本体内に挿入されて前記端子座の上部と螺接していてねじると、前記端子座を上下動させ、前記端子座の下部と前記導電体の前記一端部とで前記リード線挿入孔内に挿入されるリード線を挟持固定することができるねじ手段と、前記ケース本体の前記開口のある側面から前記導電体及び前記端子座を遮蔽するように、前記ケース本体に嵌合している蓋体とを備えていることを特徴とする端子台を提供する。
【発明の効果】
【００１１】
本発明の端子台の構造によれば、前記リード線の挟持固定は、導電体の変形ではなく、端子座の上下動によるので、反復使用されても変形や弾性疲労が生じない。特に、導電体の前記リード線挿入孔内に突入している前記一端部が、リード線挿入孔の軸線とほぼ平行するように形成された場合、リード線の芯線への挟持固定は、その先端だけではなく、該一端部の全面で行なうので、リード線への挟持固定及びリード線との接触をしっかりとさせることができる上、従来のようにリード線を突いて破壊する可能性もない。
【００１２】
そして、本発明の端子台では、前記蓋体で前記ケース本体の前記開口を遮蔽しているので、前記導電体や前記端子座が前記ケース本体の前記開口から露出されることが避けられ、感電を防止することができる。
【００１３】
また、前記導電体の前記他端部は、それらが該コンタクトピン挿入孔の周壁面に沿って並んでいてコンタクトピンの承接座となる三つの金属ばね片からなってもよい。前記導電体の前記他端部は、それらが該コンタクトピン挿入孔の孔内に、互いに対峙するように設けられていてコンタクトピンの承接座となる二つのばね片からなってもよい。それにより、前記コンタクトピン挿入孔から挿入されるコンタクトピンを挟持固定することができる。
【発明を実施するための最良の形態】
【００１４】
以下、図面を参照しながら、本発明の端子台の好ましい実施形態について説明する。
【００１５】
先ず、図２乃至図５を参照しながら、本発明の端子台の第１の実施形態を説明する。
【００１６】
図２及び図３に示すように、本実施形態の端子台は、ケース本体２０と、端子座３０と、導電体４０と、ねじ手段５０と、蓋体６０とを備えている。
【００１７】
本実施形態において、ケース本体２０は、ほぼ長方体であってその一側面に開口している（符号２４）上、その内部は複数の隔板２１で開口２４に臨んでいる複数の収容空間２２に仕切られている。このケース本体２０の上面にそれぞれ複数の収容空間２２に対応して連通しているねじ孔２３が形成されている。そして、このケース本体２０の下面にコンタクトピン挿入孔２６が複数の収容空間２２に連通して形成されている。それにより、コンタクトピン３０１がコンタクトピン挿入孔２６から収容空間２２内に挿入されることができる。また、ケース本体２０の開口２４のある側面に対応した上下側辺にそれぞれ一連の通孔２５１が形成されている。
【００１８】
端子座３０は金属からなり、ケース本体２０の収容空間２２に上下動可能に収納されている上、リード線挿入孔３２が開口２４に臨んで形成されている。端子座３０の上部にねじ挿入孔３１がねじ孔２３に臨んで形成されている。
【００１９】
導電体４０は金属からなり、ケース本体２０内において端子座３０と隣り合っている。導電体４０は両端部４１、４２を有し、その一端部４２がリード線挿入孔３２内に突入しており、他端部４１がコンタクトピン挿入孔２６に臨んでいてコンタクトピン挿入孔２６から挿入されるコンタクトピン３０１と接触することができる。本実施形態において、導電体４０の他端部４１は、それらが該コンタクトピン挿入孔２６の周壁面に沿って並んでいてコンタクトピン３００の承接座となる三つの金属ばね片４１１からなっている。
【００２０】
ねじ手段５０は、ねじ孔２３からケース本体２０内に挿入されて端子座３０の上部のねじ挿入孔３１に螺着されていてねじると、端子座３０を上下動させ、端子座３０の下部と導電体４０の一端部４２とでリード線挿入孔３２内に挿入されるリード線４００の芯線４０１を挟持固定することができる。
【００２１】
蓋体６０はケース本体２０の開口２４のある側面から導電体４０及び端子座３０を遮蔽するように、ケース本体２０に嵌合している。もっと詳しく説明すると、蓋体６０の上下両側において、それぞれ一連の突起６１がケース本体２０の通孔２５１に嵌合している。また、蓋体６０に、ケース本体２０の開口２４に臨んで上下方向に沿って延伸している複数のスロット６３が形成されている。そして、蓋体６０のリード線挿入孔３２に臨んでいるところに凹溝６２が形成されており、導電体４０の一端部４２がリード線挿入孔３２内に突入してから延伸し、凹溝６２内に嵌挿して固定されている。
【００２２】
もっと詳しく説明すると、導電体４０の一端部４２は、その他端部４１との連接端からループになるように折り曲げられてから前記連接端より下の所でリード線挿入孔３２内を孔の軸線とほぼ平行するように貫通した後、上へ反って凹溝６２に嵌入している。このような構成によると、導電体４０の弾性回復力がいつも良好に保持され、且つ、リード線挿入孔３２内に挿入されるリード線４００の芯線４０１を平面的かつ密接的な接触で丈夫に挟持固定することができる。
【００２３】
図５に示すように、リード線４００の芯線４０１がスロット６３からリード線挿入孔３２内に挿入される時、ねじ手段５０を時計方向にねじると、端子座３０が上動されて、芯線４０１がその上動に伴い、導電体４０の一端部４２と接触するまで上動されて導電体４０の一端部４２と端子座３０との間に確実に挟持固定されることができる。
【００２４】
上記のように、本実施形態では、リード線４００の挟持固定は、ねじ手段５０をねじることにより、端子座３０を上下動させることで行われるので、確実に導電体３０の一端部４２と端子座３０の下部とでリード線挿入孔３２内に挿入されるリード線４００の芯線４０１を挟持固定することができる。従って、導電体４０とリード線４００の芯線４０１との接触を良好にし、リード線４００を反復挿入抜出しすることができる。
【００２５】
そして、本発明の端子台では、蓋体６０でケース本体２０の開口２４を遮蔽しているので、導電体４０や端子座３０がケース本体２０の開口２４から露出されることを避け、感電を防止することができる。
【００２６】
なお、導電体４０の一端部４２がリード線挿入孔３２内に突入してから延伸し、凹溝６２内に嵌挿して固定されているので、導電体４０の一端部４２の先端がリード線４００の芯線４０１を突いてリード線４００の構造を破壊することを防止することができる。
【００２７】
次に、図６に示すのは本発明の第２の実施形態である。本実施形態において前記第１の実施形態と異なる点は、導電体７０の他端部７１が、それらが該コンタクトピン挿入孔２６の孔内に、互いに対峙するように設けられていてコンタクトピン３００の承接座となる二つのばね片７１１からなっていることにある。
【産業上の利用可能性】
【００２８】
本発明の端子台は、電子装置の信号や電源の伝送に適用される。
【図面の簡単な説明】
【００２９】
【図１】従来の端子台を示す断面図。
【図２】本発明の第１の実施形態の端子台を示す斜視図。
【図３】本発明の第１の実施形態の端子台を示す分解図。
【図４】本発明の第１の実施形態における端子座が元の位置にある状態を示す断面図。
【図５】本発明の第１の実施形態におけるねじ手段がねじられる場合の、端子座を上動させた状態を示す断面図。
【図６】本発明の第２の実施形態の端子台を示す分解図。
【符号の説明】
【００３０】
１０…端子台、１００…コンタクトピン、１１…ケース本体、１１２…開口、１１３…ねじ孔、１１４…コンタクトピン挿入孔、１２…端子座、１２１…リード線挿入孔、１３…導電体、１３１…一端部、１３２…他端部、１３３…先端、１４…ねじ手段、２００…リード線、２０１…芯線、２０…ケース本体、２１…隔板、２２…収容空間、２３…ねじ孔、２４…開口、２５１…通孔、２６…コンタクトピン挿入孔、３０…端子座、３１…ねじ挿入孔、３２…リード線挿入孔、４０…導電体、４１…他端部、４１１…金属ばね片、４２…一端部、５０…ねじ手段、６０…蓋体、６１…突起、６２…凹溝、６３…スロット、７０…導電体、７１…他端部、７１１…金属ばね片。
【図１】
2006209974.tif 000003
【図２】
2006209974.tif 000004
【図３】
2006209974.tif 000005
【図４】
2006209974.tif 000006
【図５】
2006209974.tif 000007
【図６】
2006209974.tif 000008